(57)【要約】【課題】  プーリ間にミスアライメントが存在しても異常摩耗や異常すべりの発生を有効に抑制することができ、かつ静粛性に優れた動力伝達チェーンおよびそれを用いた動力伝達装置を提供する。【解決手段】  貫通孔４を有する複数のリンク２と、貫通孔４に挿通され複数のリンク２を相互に連結する複数のピン３と、貫通孔４に挿通されピン３の一側面と接触する一側面を有する複数のストリップ５と、を備える動力伝達チェーン１である。  この動力伝達チェーン１では、ピン３の一側面又はストリップ５の一側面の少なくとも一方に、チェーン幅方向のクラウニングを設けている。【選択図】      図１
2005121071.tif 000002
【特許請求の範囲】
【請求項１】
貫通孔を有する複数のリンクと、前記貫通孔に挿通され前記複数のリンクを相互に連結する複数のピンと、前記貫通孔に挿通され前記ピンの一側面と接触する一側面を有する複数のストリップと、を備えるとともに、円錐面状のシーブ面を有する第１のプーリと円錐面状のシーブ面を有する第２のプーリとの間に架け渡されて用いられ、前記ピンの両端面と前記第１及び第２のプーリのシーブ面とが接触して動力を伝達する動力伝達チェーンであって、
前記ピンの前記一側面又は前記ストリップの前記一側面の少なくとも一方に、チェーン幅方向のクラウニングを設けていることを特徴とする動力伝達チェーン。
【請求項２】
前記クラウニングにより生ずる前記ピンと前記ストリップとの隙間距離の最大値は、１０μｍ以上１５０μｍ以下であることを特徴とする請求項１に記載の動力伝達チェーン。
【請求項３】
円錐面状のシーブ面を有する第１のプーリと、
円錐面状のシーブ面を有する第２のプーリと、
これら第１及び第２のプーリの間に架け渡される動力伝達チェーンと、
を備えた動力伝達装置であって、
前記動力伝達チェーンが、請求項１又は２のいずれかに記載のものであることを特徴とする動力伝達装置。
【発明の詳細な説明】
【技術分野】
【０００１】
本発明は、車両のチェーン式無段変速機などに用いられる動力伝達チェーン及びそれを用いた動力伝達装置に関するものである。
【背景技術】
【０００２】
自動車の無段変速機（ＣＶＴ：Continuously Variable Transmission）としては、例えば、エンジン側に設けられたドライブプーリと、駆動輪側に設けられたドリブンプーリと、これら両プーリ間に架け渡された無端帯状のチェーンとを備えたものがある。このチェーンとしては、複数のリンクと、これらを相互に連結する複数のピンと、複数のストリップとを備えたものがある。このようないわゆるチェーン式無段変速機では、各プーリの内側に略対向して設けられた２つの円錐面からなるシーブ面とチェーンのピン端面との間に作用する接触摩擦力によりトラクションを発生させて動力を伝達する。そして、ドライブプーリ及びドリブンプーリのそれぞれにおいて略対向する円錐面の対向距離（溝幅）を連続的に変化させて、各プーリの有効径を連続的に変化させる。その結果、変速比が連続的に（無段階に）変化し、従来のギア式とは異なるスムースな動きで無段変速を行うことができる。
【０００３】
このようなチェーン式無段変速機において、チェーンは、動力伝達効率を高めるべく、リンクの貫通孔にピンやストリップを圧入して構成されている（例えば特許文献１参照。）。
【特許文献１】特開平８−３１２７２５号公報（第４頁）
【発明の開示】
【発明が解決しようとする課題】
【０００４】
上記のような従来のチェーンは、各プーリの周方向に沿って巻き付くような屈曲（以下、周方向屈曲などという）は当然に可能とされているが、それ以外の屈曲は殆ど許容されないので、２つのプーリ間に生じるミスアライメントを適切に許容（吸収）することができない。即ち、図６の（ａ）〜（ｃ）に示すような、ドライブプーリ３１とドリブンプーリ３２との間の水平方向（プーリ回転軸方向）にずれを生じるミスアライメントＡや、プーリ３１，３２が互いに異なる方向を向くことで生じるミスアライメントＢや、プーリ３１，３２間で互いにねじれた関係になることで生ずるミスアライメントＣや、これらＡ，Ｂ，Ｃの組み合わせにより生ずるミスアライメントを適切に吸収することができず、特に巻き掛け角度の小さい側のプーリで適切なクランプを行うのが難しい。そのため、長期にわたり動力伝達を行うと、プーリのシーブ面とピン端面との間で片当たりが生じて当該シーブ面やピン端面に異常摩耗が発生したり、当該シーブ面とピン端面との間で異常すべりが発生したりしてしまうという問題がある。
また、前述の如く、従来のチェーンでは周方向屈曲以外の屈曲において柔軟性に乏しいため、ピンがプーリに巻き込まれる際などにピンがプーリに強く当たってしまい、大きな音が発生するという問題もある。
【０００５】
本発明は、かかる事情に鑑みてなされたものであり、プーリ間のミスアライメントを許容して異常摩耗や異常すべりの発生を有効に抑制することができ、かつ静粛性に優れた動力伝達チェーンおよびそれを用いた動力伝達装置を提供することを目的とする。
【課題を解決するための手段】
【０００６】
かかる目的を達成するため、本発明の動力伝達チェーンは、貫通孔を有する複数のリンクと、前記貫通孔に挿通され前記複数のリンクを相互に連結する複数のピンと、前記貫通孔に挿通され前記ピンの一側面と接触する一側面を有する複数のストリップと、を備えるとともに、円錐面状のシーブ面を有する第１のプーリと円錐面状のシーブ面を有する第２のプーリとの間に架け渡されて用いられ、前記ピンの両端面と前記第１及び第２のプーリのシーブ面とが接触して動力を伝達する動力伝達チェーンであって、前記ピンの前記一側面又は前記ストリップの前記一側面の少なくとも一方に、チェーン幅方向のクラウニングを設けていることを特徴とする動力伝達チェーンとしている。
かかる構成とすると、チェーン幅方向のクラウニング（凸曲面）により、ピンとストリップとの接触角度に自由度が生じるので、周方向屈曲以外の屈曲に対して柔軟性を有するチェーンとなる。
【０００７】
上記動力伝達チェーンにおいて、前記クラウニングにより生ずる前記ピンと前記ストリップとの隙間距離の最大値は、１０μｍ以上１５０μｍ以下であるのが好ましい。さらに好ましくは３０μｍ以上１００μｍ以下であるのがよい。この値が小さすぎると、ピンとストリップとの接触角度の自由度が十分に得られず、クラウニングを設けた上記効果が少なくなる傾向となる。また、この値が大きすぎると、ピンがピン軸中心に回転する等によりチェーンの動力伝達効率が低下する場合がある。
よって、上記数値範囲に設定することにより、チェーンに十分な柔軟性を付与して異常摩耗や異常すべりを抑制することができ、且つ静粛性に優れたチェーンとすることができる。さらに、高い動力伝達効率を確保できる。
【０００８】
本発明の動力伝達装置は、円錐面状のシーブ面を有する第１のプーリと、円錐面状のシーブ面を有する第２のプーリと、これら第１及び第２のプーリの間に架け渡される動力伝達チェーンと、を備えた動力伝達装置であって、前記動力伝達チェーンが、上記した動力伝達チェーンであることを特徴としている。
かかる構成によれば、第１のプーリと第２のプーリとの間にミスアライメントが存在したとしても、上記した動力伝達チェーンが当該ミスアライメントを許容するので、異常摩耗や異常すべりの発生が抑制され、且つ、静粛性の高い動力伝達装置となる。
【発明の効果】
【０００９】
以上に記載したように、本発明に係る動力伝達チェーンは、前記ピンの一側面又は前記ストリップの一側面の少なくとも一方に、チェーン幅方向のクラウニングを設けることにより、ミスアライメントを許容して異常摩耗や異常すべりが効果的に抑制することができる。
また、本発明の動力伝達装置は、上記のチェーンを用いているので、異常摩耗や異常すべりが効果的に抑制され、長期にわたり安定して動力伝達を行うことができる。また、動力伝達時における発生音を小さくすることができる。
【発明を実施するための最良の形態】
【００１０】
以下に、本発明の実施形態を図面を参照しつつ説明する。図１は本発明の一実施形態に係るチェーン式無段変速機用のチェーン（以下単に「チェーン」ともいう）の要部構成を模式的に示す斜視図である。また図２は、ピン３及びストリップ５の長手方向に垂直な断面におけるリンク２の部分断面図である。本形態に係るチェーン１は、全体として無端帯状をなし、複数の金属製リンク２と、これらリンク２を相互に連結するための複数の金属製ピン３と、これらピン３よりも長手方向長さが若干短い複数のストリップ５とから構成されている。リンク２及びピン３は、例えば軸受鋼等の金属からなる。なお、図１では、チェーン１の幅方向略中央付近のリンクの記載を一部省略している。
【００１１】
図１及び図２に示すように、個々のリンク２は、略長方形の板状部材の角を丸めたような外形をなしており、且つその長手方向に並列して２つの貫通孔４を有している。そして、いずれの貫通孔４にも、ピン３とストリップ５とがそれぞれ一本ずつ挿通されている。リンク２は、チェーン幅方向に複数枚重複して配置されるとともに、チェーン帯長手方向位置を順次ずらしながら配置されている。そして、チェーン帯長手方向の位置が異なる複数のリンク２の貫通孔４に一本のピン３を貫通させることにより、複数のリンク２を相互に連結して、無端帯状のチェーン１とされている。
ピン３の両側面３ａは、ストリップ５の両側面よりもチェーン幅方向外側に位置しており、この両側面３ａがプーリのシーブ面と接触することになる。
【００１２】
図４は、このチェーン１を備えた本発明に係る動力伝達装置の一実施形態に係るチェーン式無段変速機５０の概略構成を示す斜視図である。このチェーン式無段変速機５０は、例えば自動車用の変速機として用いることができるものであり、第１のプーリとしての金属製ドライブプーリ１０と、第２のプーリとしての金属製ドリブンプーリ２０と、それらプーリ１０，２０の間に架け渡された無端帯状のチェーン１とを備えている。プーリ１０，２０は、例えば軸受鋼等の金属からなる。なお、図４中において、理解を容易とするためチェーン１の断面を一部明示している。
【００１３】
図５は、無段変速機５０の、プーリ１０又は２０における断面図（プーリ１０，２０の径方向に沿った断面における断面図）である。同図に示すように、チェーン１におけるピン３の両側面３ａが、プーリ１０（２０）の内側で互いに対向する円錐面状のシーブ面１２ａ，１３ａ（２２ａ，２３ａ）と接触し、この接触摩擦力によりトラクションを伝達する。
【００１４】
図１に示すように、ピン３及びストリップ５は、断面略長方形の棒状部材であるが、それらの断面形状、及び、貫通孔４の形状は、チェーン１の周方向屈曲が確保されるように工夫されている。そして、図２にあるように、ピン３及びストリップ５の断面形状は単純な長方形ではなく、滑らかな曲線から構成された形状となっている。ピン３の一側面とこれに隣接するストリップ５の一側面とは、接触部Ｓにおいて接触している。この接触部Ｓの前記各一側面上における位置は、チェーン１の周方向屈曲の度合いにより適宜移動する。なお、この接触部Ｓの接触の態様は、転がり摺動接触、即ち、転がり接触若しくは滑り接触又はこれら両接触が複合した接触である。これらの接触態様のなかでも、特に転がり接触とするのが好ましい。この場合、チェーン１動作時の振動や騒音を効果的に抑制できる。また、ピン３の一側面とこれに隣接するストリップ５の一側面のうちの一方にチェーン幅方向のクラウニング（凸曲面）を設け、他方はチェーン幅方向のクラウニングを設けずチェーン幅方向において平坦とするのが好ましい。
また、クラウニング（凸曲面）の断面形状は、インボリュートであるのがさらに好ましい。この場合、チェーン１動作時の振動や騒音を最小限に抑制できる。
このようにピン３とストリップ５とが接触しているので、ピン３がプーリのシーブ面にクランプされる際、ピン３がピン軸中心に回転することが殆ど無くなる。このため、摩擦損失が低減し、高い動力伝達効率を確保することができる。
【００１５】
図３は、チェーン幅方向（ピン３やストリップ５の長手方向）に平行で且つピン３とストリップ５とが接触する接触部Ｓを含む断面（図２のＸ−Ｘ線）における、ピン３とストリップ５との断面図である。同図に示すように、ストリップ５と接触するピン３の一側面には、チェーン幅方向のクラウニング（凸曲面）が設けられている。
なお、図３では、理解しやすくするために、クラウニングの曲率を実際よりも大きくした図としている。
【００１６】
このように、ピン３の一側面にチェーン幅方向のクラウニングを設けているので、図３の断面視において、接触部Ｓのチェーン幅方向両側に、帯長手方向で距離ｄの隙間が生じる。そして、ストリップ５の長手方向両端位置において、この隙間距離ｄは最大値のｄｍとなっている。本実施形態においては、クラウニングは、ピン３の長手方向全体に亘って略同一の曲率で設けられているため、隙間距離ｄの最大値ｄｍはかかる曲率に依存している。また、ストリップ５の長手方向長さはピン３のそれよりも短くなっている結果、ストリップ５の両端位置において隙間距離ｄが最大となっている。
【００１７】
なお、この隙間距離ｄ及び隙間距離の最大値ｄｍは、チェーン幅方向に設けた前記クラウニングにより生じたものを意味しており、かかるクラウニングが無くてもピン３とストリップ５との間に存在する隙間ｐ（図２参照）の隙間距離ではない。
【００１８】
ここで、隙間距離ｄの最大値ｄｍの測定方法は次のように定める。
いずれの方向にも屈曲させることなく真っ直ぐな状態としたチェーン１を、チェーン幅方向及びチェーン帯長手方向のいずれも水平にした状態で水平面上に載置した基準状態を考える。なお、チェーン１は無端帯状であるが、ここではチェーン１のうち水平面上に接触していずれの方向にも屈曲していない部分を考えている。そして、前記隙間距離の最大値ｄｍは、かかる基準状態のチェーン１において、ピン３とストリップ５とが接触する接触部Ｓの中心点（図心のこと。接触部Ｓが点である場合は、その点。）を通る水平面（図２のＸ−Ｘ線参照）を断面とし、この断面（図３参照）におけるピン３とストリップ５との隙間距離ｄの最大値である。
【００１９】
また、この隙間距離の最大値ｄｍは、チェーン１の屈曲性に関連するものであるから、チェーン１が（あらゆる方向に）屈曲することにより前記接触部Ｓが移動しうる範囲内における最大値であって、チェーン１の柔軟性と関連する可能性の全く無い部分の隙間距離は考慮しない。即ち、例えば図３の断面視において、対向するピン３又はストリップ５の一側面に、凹み部分があったり、ピン３又はストリップ５の両端付近において隙間距離ｄが極端に増加したりして、チェーン１をあらゆる方向に限界まで屈曲させても接触部Ｓとなりえないような部分が存在している場合は、当該部分の隙間距離は考慮しない。
そして、本実施形態では、クラウニングにより生ずるピン３とストリップ５との隙間距離の最大値ｄｍを１０μｍ以上１５０μｍ以下としている。
【００２０】
ここで、この無段変速機５０が変速機として機能するしくみについて説明する。
図４に示すドライブプーリ１０は、エンジン側に接続された入力軸１１に一体回転可能に取り付けられたものであり、円錐面状のシーブ面１２ａを有する固定シーブ１２と、このシーブ面１２ａに対向して配置される円錐面状のシーブ面１３ａを有する可動シーブ１３とを備えている。そして、これらシーブ面１２ａ，１３ａによりチェーン１を側面から強圧で挟み込むようになっている。また、可動シーブ１３には、油圧アクチュエータ（図示せず）が接続されており、これにより可動シーブ１３は入力軸１１の軸方向に可動とされている。可動シーブ１３が移動すると、対向するシーブ面１２ａ，１３ａの対向距離（溝幅）が変化する。チェーン１のチェーン幅は常に一定であるので、チェーン１はそのチェーン幅に見合った径方向位置でドライブプーリ１０に巻き付き、チェーン１の巻掛け半径が変化する。
【００２１】
一方、ドリブンプーリ２０においても、ドライブプーリ１０と同様、以下に記載の原理でチェーン１の巻掛け半径が変化する。
ドリブンプーリ２０は、駆動輪側に接続された出力軸２１に一体回転可能に取り付けられており、円錐面状のシーブ面２２ａを有する固定シーブ２２と、このシーブ面２２ａに対向して配置される円錐面状のシーブ面２３ａを有する可動シーブ２３とを備えている。そして、これらシーブ面２２ａ，２３ａによりチェーン１を側面から強圧で挟み込むようになっている。また、可動シーブ２３には、油圧アクチュエータ（図示せず）が接続されており、これにより可動シーブ２３は出力軸２１の軸方向に可動とされている。可動シーブ２３が移動すると、対向するシーブ面２２ａ，２３ａの対向距離（溝幅）が変化する。チェーン１のチェーン幅は常に一定であるので、チェーン１はそのチェーン幅に見合った径方向位置でドリブンプーリ２０に巻き付くので、チェーン１の巻掛け半径が変化する。
【００２２】
そして、よりローギアな状態に変速する場合には、ドライブプーリ１０側の溝幅を可動シーブ１３の移動によって拡大させてチェーン１のドライブプーリ１０における巻掛け半径を小さくすると同時に、ドリブンプーリ２０側の溝幅を可動シーブ２３の移動によって縮小させてチェーン１のドリブンプーリ２０における巻掛け半径を大きくする。
逆に、よりハイギアな状態に変速する場合には、ドライブプーリ１０側の溝幅を可動シーブ１３の移動によって縮小させてチェーン１のドライブプーリ１０における巻掛け半径を大きくすると同時に、ドリブンプーリ２０側の溝幅を可動シーブ２３の移動によって拡大させてチェーン１のドリブンプーリ２０における巻掛け半径を小さくする。このようにして、無段変速機能が奏される。
【００２３】
以上のように構成されたチェーン１及びチェーン式無段変速機５０は、次のような作用効果を奏する。
まず、ピン３の一側面又はストリップ５の一側面の少なくとも一方に設けたチェーン幅方向のクラウニング（凸曲面）により、ピン３とストリップ５との接触角度に自由度が生じるので、周方向屈曲以外の方向の屈曲に対して柔軟性を有するチェーンとなる。したがって、前記したミスアライメントＡ〜Ｃ及びこれらが複合したミスアライメントを許容することができ、異常摩耗や異常すべりを効果的に抑制でき、且つ、無段変速機５０が動作する際に発生する音を小さくすることができる。
【００２４】
さらに、クラウニングにより生ずる前記ピンと前記ストリップとの隙間距離の最大値ｄｍを１０μｍ以上としているので、ピン３とストリップ５との接触角度の自由度が十分に得られ、前記クラウニングを設けた効果が確実に奏される。そして、前記ミスアライメントＡ〜Ｃ及びこれらが複合したミスアライメントを許容することができる。
また、この最大値ｄｍを１５０μｍ以下としたので、ピンがピン軸中心に回転する等により生ずるチェーンの動力伝達効率の低下を最小限とすることができる。
即ち、隙間距離の最大値ｄｍを１０〜１５０μｍに設定することにより、クラウニングの効果を最適化することができ、且つ高い動力伝達効率を確保できる。同様の理由で、この隙間距離の最大値ｄｍは、３０μｍ〜１００μｍとするとより好ましい。
【００２５】
そして、チェーン１を用いたチェーン式無段変速機５０は、ドライブプーリ１０とドリブンプーリ２０との間にミスアライメントが存在したとしても、上記した動力伝達チェーン１が当該ミスアライメントを許容するので、異常摩耗や異常すべりの発生が抑制され、且つ、静粛性の高い動力伝達装置となる。そして、長期にわたり安定して動力伝達を行うことができる。
【００２６】
前述のように、前記した隙間距離の最大値ｄｍを１０μｍ以上とすることが好ましいが、更に好ましくは、この最大値ｄｍが、第１のプーリと第２のプーリとの間のミスアラインメント量を許容するのに必要な大きさ以上とされているのがよい。ここで、「ミスアライメント量」とは、第１のプーリと第２のプーリとのずれの度合いを表す指標であり、前記ミスアライメントＡ〜Ｃ及びこれらが複合したミスアライメントにおける角度もしくは距離（またはそれらの複合）のずれ量のことである。なお、前記ミスアライメントＡ〜Ｃのいずれも存在しない状態は、ミスアライメント量が０である。
なお、最大値ｄｍが１０μｍ以上であると、大部分の製品で発生するミスアライメント量を許容することができる。
【００２７】
前記実施形態では、ピン３の一側面と接触する一側面を有するストリップ５を備えた動力伝導チェーン１において、ピン３の一側面のみにクラウニングを設けたが、これに限られず、ストリップ５側（ストリップ５の一側面）のみにクラウニングを設けても良く、ピン３の一側面とストリップ５の一側面の両方にクラウニングを設けても良い。ピン３とストリップ５との接触部分にクラウニングがあれば、前述したようなクラウニングを設ける効果が得られるからである。
なお、これらのクラウニングは、例えばプレス加工等により成形することができる。
【００２８】
なお、図５に示すように、前記実施形態においては、ピン３の長手方向両端付近であってリンク２が挿通された部分の外側には、リンク２の抜け落ちを防止するための突起部３ｂを設けている。このような突起部３ｂに限られないが、ピン３にリンク２を係止しうる係止部を設けてもよい。なお、この突起部３ｂは、例えばかしめ工具などを用いて簡単に形成することができる。また、突起部３ｂは、リング状部材（止め輪、スナップリング）や割ピン、クリップ、保持器等の別部材をピンやストリップに固定することで形成してもよい。
【００２９】
本発明の動力伝達チェーン及び動力伝達装置は、ドライブプーリ及びドリブンプーリの両方の溝幅が変動する態様のものに限定されず、いずれか一方のみが変動し、他方が変動しない固定幅にした態様のものであってもよい。また、上記では溝幅が連続的（無段階）に変動する態様について説明したが、有段的に変動したり、固定式（無変速）である等の他の動力伝達装置又はこれに用いられるチェーンに適用してもよい。
【００３０】
（実施例による音圧レベル低減効果の検証）
本発明の音圧レベル低減効果を確認すべく、実施例及び比較例による検証を行った。図７は、本発明にいうクラウニングを設けていないチェーンを備えた動力伝達装置の、作動時の発生音を測定し、この音の各周波数における音圧レベル（ｄＢＡ）を表示したグラフであり、図８は、ピン３の一側面にチェーン幅方向のクラウニングを設けた実施例において、図７の比較例と同条件で発生音を測定した場合の音圧レベル（ｄＢＡ）を表示したグラフである。クラウニングの有無を除き、実施例の動力伝達装置と比較例のそれとの仕様は（前述のミスアライメント量を含め）同一である。実施例では、クラウニングにより生ずるピン３とストリップ５との隙間距離の最大値ｄｍは０．１ｍｍ（１００μｍ）とし、またクラウニングはストリップ５の一側面にのみ設け、ピン３の一側面はクラウニングを設けずチェーン幅方向に平坦とした。
図７及び図８に示すように、実施例は比較例よりも音圧レベルの最大値が約３ｄＢ小さくなった。
【図面の簡単な説明】
【００３１】
【図１】本発明の一実施形態に係るチェーン式無段変速機用のチェーンの要部構成を模式的に示す斜視図である。
【図２】図１のチェーンにおける、ピン及びストリップの長手方向に垂直な断面での部分断面図である。
【図３】図２のＸ−Ｘ線断面におけるピンとストリップとの断面図である。
【図４】本発明に係る動力伝達装置の一実施形態に係るチェーン式無段変速機の概略構成を示す斜視図である。
【図５】図４の無段変速機におけるプーリ部分の断面図である。
【図６】ミスアライメントの類型について説明するための概念図である。
【図７】比較例の動力伝達装置における発生音の、各周波数における音圧レベルを表示したグラフである。
【図８】実施例の動力伝達装置における発生音の、各周波数における音圧レベルを表示したグラフである。
【符号の説明】
【００３２】
１      チェーン
２      リンク
３      ピン
４      貫通孔
５      ストリップ
１０    ドライブプーリ（第１のプーリ）
１２ａ  シーブ面
１３ａ  シーブ面
２０    ドリブンプーリ（第２のプーリ）
２２ａ  シーブ面
２３ａ  シーブ面
ｄｍ    隙間距離の最大値
３１    ドライブプーリ（第１のプーリ）
３２    ドリブンプーリ（第２のプーリ）
５０    チェーン式無段変速機（動力伝達装置）
【図１】
2005121071.tif 000003
【図２】
2005121071.tif 000004
【図３】
2005121071.tif 000005
【図４】
2005121071.tif 000006
【図５】
2005121071.tif 000007
【図６】
2005121071.tif 000008
【図７】
2005121071.tif 000009
【図８】
2005121071.tif 000010